(57)【特許請求の範囲】
【請求項１】
収音を行うマイクロホンユニットを含むマイクヘッドと、前記マイクヘッドの後部に連結されたマイクロホン本体とを備えるワイヤレスマイクロホンであって、
前記マイクロホン本体は、
少なくともアンテナ回路部を保持する金属製のホルダ部材と、
前記ホルダ部材の周囲を覆う金属製の筒状のカバー部材と、
前記カバー部材の後部側に挿着されると共に、前記ホルダ部材の後部側と接続される金属製の筒状のグリップエンド部材とを備え、
前記ホルダ部材は、前記グリップエンド部材を介して前記カバー部材と導通していることを特徴とするワイヤレスマイクロホン。
【請求項２】
前記アンテナ回路部のアンテナは、前記グリップエンド部材の後部開口から後方に突出して設けられていることを特徴とする請求項１に記載されたワイヤレスマイクロホン。
【請求項３】
前記ホルダ部材の後部側の外周面に形成された螺子溝と、前記グリップエンド部材の内周面側に形成された螺子溝とが螺合することにより、前記ホルダ部材と前記グリップエンド部材とが接続されていることを特徴とする請求項１または請求項２に記載されたワイヤレスマイクロホン。
【請求項４】
前記グリップエンド部材は、その前側の周縁に脚状に設けられた複数の端子部を有し、前記グリップエンド部材を前記カバー部材に装着した際、前記端子部が前記カバー部材の内周面に当接することを特徴とする請求項１乃至請求項３のいずれかに記載されたワイヤレスマイクロホン。
【発明の詳細な説明】
【技術分野】
【０００１】
本発明は、ワイヤレスマイクロホンに関し、特にマイクロホン本体の後部にアンテナを有するワイヤレスマイクロホンに関する。
【背景技術】
【０００２】
従来、ワイヤレスのマイクロホンにあっては、収音を行うマイクロホンユニットを収容したマイクヘッドと、このマイクヘッドと結合されるマイクロホン本体とを備える。
前記マイクロホン本体は、回路基板、バッテリ、アンテナなどを保持するホルダ部材（ボディ）と、このホルダ部材を覆うカバー部材（グリップする筐体部分）とからなる。前記ホルダ部材が前記カバー部材と結合されることによって、回路基板やバッテリなどがカバー部材内に固定される。
【０００３】
尚、特許文献１に開示された構成にあっては、ホルダ部材（電池収容部、基板収容部）とカバー部材（外殻）との接続は、カバー部材の前部側内周面に形成された螺子溝と、本体部の前部側外周面に形成された螺子溝とが螺合することにより行われている。
【先行技術文献】
【特許文献】
【０００４】
【特許文献１】実開昭６３−１８２３０号公報
【発明の概要】
【発明が解決しようとする課題】
【０００５】
ところで、ワイヤレスマイクロホンにあっては、一般にマイクロホン本体の後部（ホルダ部材の後部）にアンテナが設けられている。
そのため、前記ホルダ部材と前記カバー部材とを金属製とし、それらを導通させると共に回路基板のグランドを接続すれば、使用者がグリップ部分であるカバー部材を掌で握ることにより、マイクロホン本体をグランドプレーンとすることができる。
【０００６】
しかしながら、特許文献１に開示された構成のようにホルダ部材とカバー部材の前部側で互いが接続されている場合、その接続位置と、アンテナの位置（ホルダ部材の後部）とが離れているため、アンテナを基準として高周波的にカバー部材はフローティング状態となる。
そのため、カバー部材を握っても安定したアンテナグランドがとれず、良好なＲＦ（Ｒａｄｉｏ  Ｆｒｅｑｕｅｎｃｙ）性能を得ることができないという課題があった。
【０００７】
本発明は、前記した点に着目してなされたものであり、本体下部にアンテナを有するワイヤレスマイクロホンにおいて、マイクロホン本体をグランドプレーンとして、使用者が握ることにより安定したアンテナグランドを確保し、良好なＲＦ性能を得ることのできるワイヤレスマイクロホンを提供することを目的とする。
【課題を解決するための手段】
【０００８】
前記した課題を解決するために、本発明に係るワイヤレスマイクロホンは、収音を行うマイクロホンユニットを含むマイクヘッドと、前記マイクヘッドの後部に連結されたマイクロホン本体とを備えるワイヤレスマイクロホンであって、前記マイクロホン本体は、少なくともアンテナ回路部を保持する金属製のホルダ部材と、前記ホルダ部材の周囲を覆う金属製の筒状のカバー部材と、前記カバー部材の後端側に挿着されると共に、前記ホルダ部材の後部側と接続される金属製の筒状のグリップエンド部材とを備え、前記ホルダ部材は、前記グリップエンド部材を介して前記カバー部材と導通していることに特徴を有する。
尚、前記アンテナ回路部のアンテナは、前記グリップエンド部材の後部開口から後方に突出して設けられていることが望ましい。
また、前記ホルダ部材の後部側の外周面に形成された螺子溝と、前記グリップエンド部材の内周面側に形成された螺子溝とが螺合することにより、前記ホルダ部材と前記グリップエンド部材とが接続されていることが望ましい。
また、前記グリップエンド部材は、その前側の周縁に脚状に設けられた複数の端子部を有し、前記グリップエンド部材を前記カバー部材に装着した際、前記端子部が前記カバー部材の内周面に当接することが望ましい。
【０００９】
このように構成することによって、アンテナ回路の近いグリップエンド部材においてグランドをとることができる。
そのため、ワイヤレスマイクロホンの使用者が、マイクロホン本体のカバー部材を掌で握ることにより、安定したアンテナグランドを確保し、良好なＲＦ性能を得ることができる。
また、十分なアンテナグランドを確保できるため、電波の放射効率が良好となり、ワイヤレスマイクロホンとしての運用距離を伸ばすことができる。
【発明の効果】
【００１０】
本体下部にアンテナを有するワイヤレスマイクロホンにおいて、マイクロホン本体をグランドプレーンとして、使用者が握ることにより安定したアンテナグランドを確保し、良好なＲＦ性能を得ることのできるワイヤレスマイクロホンを得ることができる。
【図面の簡単な説明】
【００１１】
【図１】図１は、本発明に係るマイクロホンの平面図である。
【図２】図２は、図１のマイクロホンの側面図である。
【図３】図３は、マイクロホン本体を分解して示す斜視図である。
【図４】図４は、本体部材の表側を示す斜視図である。
【図５】図５は、本体部材の裏側を示す斜視図である。
【図６】図６は、図１のマイクロホンが備えるアンテナの斜視図である。
【発明を実施するための形態】
【００１２】
以下、本発明の実施の形態を図面に基づき説明する。図１は、本発明に係るワイヤレスマイクロホンの平面図であり、図２はその側面図である。
【００１３】
図示するワイヤレスマイクロホン１は、収音を行うマイクロホンユニット（図示せず）を内蔵するマイクヘッド２と、このマイクヘッド２に対し着脱可能に設けられたマイクロホン本体３とにより構成される。また、ワイヤレスマイクロホン１は音声信号を無線出力するためのアンテナ部３０（アンテナ回路）をマイクロホン本体３の後部に備え、外周面にはディスプレイの窓２６が設けられている。
【００１４】
前記マイクロホン本体３は、複数の基板などからなる本体部材４と、この本体部材４を収容する金属製（例えばアルミニウム製）の円筒状のカバー部材５とにより構成される。
図３は、マイクロホン本体３を分解して示す斜視図である。また、図４は、本体部材４の表側を示す斜視図であり、図５は、本体部材４の裏側を示す斜視図である。また、図６は、アンテナの斜視図である。
【００１５】
前記マイクロホン本体３の本体部材４は、金属製（例えばアルミニウム製）のホルダ部材１２を備え、このホルダ部材１２にメイン基板１３、オーディオ基板１４、アンテナ基板１５がそれぞれ複数の螺子により取り付けられている。さらに、ホルダ部材１２には、電池を収容する電池ボックス１６が取り付けられ、基板１３、１４、１５の露出面を覆うようにカバー１７、１８が螺子により取り付けられている。
【００１６】
また、ホルダ部材１２の前端側には、アタッチメント部材１９を介してマイクヘッド２側と音声信号の授受を行うためのコンタクト基板６が設けられている。
また、アンテナ基板１５には、アンテナコネクタ２０を介して図６に示すような、例えばアンテナエレメントとしてジグザグ状の金属板を用いたアンテナ２１が取り付けられ、このアンテナ２１をアンテナカバー２２で覆うことによりアンテナ部３０が構成される。アンテナ２１は例えば不平衡のモノポールアンテナである。
【００１７】
また、ホルダ部材１２の後部側には螺子溝１２ａが形成され、少なくともこの螺子溝１２ａは塗装されず金属面が露出している。一方、カバー部材５の後部部には例えば真鍮からなる筒状のグリップエンド部材２５が回転自在に挿嵌され、このグリップエンド部材２５の内周面に、前記ホルダ部材１２側に形成された螺子溝１２ａに螺合する螺子溝２５ａが形成されている。前記螺子溝２５ａも塗装されず金属面が露出している。
【００１８】
前記本体部材４（ホルダ部材１２）は、下部に設けられたアンテナ部３０側からカバー部材５に挿入され、その後部側に螺子溝１２ａがカバー部材５の後端部から挿入されたグリップエンド部材２５の螺子溝２５ａに（グリップエンド部材２５ａを回転することにより）螺合するようになっている。このように螺合により結合されることによって、互いに接触する面積を確保し、本体部材４とグリップエンド部材２５とを確実に導通させることができる。
【００１９】
また、前記グリップエンド部材２５の前側の周縁部には、塗装されず金属面が露出した複数の端子部２５ｂが脚状に設けられ、グリップエンド部材２５をカバー部材５に装着した際、前記端子部２５ｂが前記カバー部材５の金属面が露出した内周面に当接するようになっている。尚、カバー部材５に装着したグリップエンド部材２５を前記本体部材４（ホルダ部材１２）に螺合するために回転させると、前記端子部２５ｂは前記カバー部材５の内周面に摺接するようになされている。
これにより、本体部材４のホルダ部材１２とグリップエンド部材２５とカバー部材５との導通状態が確保されている。
【００２０】
このように、本発明に係る実施の形態によれば、マイクロホン本体３において、各種基板を保持する金属製（アルミニウム製）のホルダ部材１２の後部側が金属製（真鍮製）のグリップエンド部材２５と導通し、グリップエンド部材２５が金属製（アルミニウム製）のカバー部材５と導通する。即ち、マイクロホン本体３をグランドプレーンとすると共に、アンテナ部３０やアンテナ基板１５の近いグリップエンド部材２５においてグランドをとることができる。
そのため、ワイヤレスマイクロホン１の使用者が、マイクロホン本体２のカバー部材５を掌で握ることにより、安定したアンテナグランドを確保し、良好なＲＦ性能を得ることができる。
また、十分なアンテナグランドを確保できるため、電波の放射効率が良好となり、ワイヤレスマイクロホンとしての運用距離を伸ばすことができる。
【００２１】
尚、前記実施の形態にあっては、アンテナ２１の形状として、図６に示したようなジグザグ状の金属板からなるものを示したが、本発明にあっては、その形態に限定されるものではなく、従来の一般的なモノポールアンテナもアンテナとして好適に用いることができる。
【符号の説明】
【００２２】
１            マイクロホン
２            マイクヘッド
３            マイクロホン本体
４            本体部材
５            カバー部材
６            コンタクト基板
１２          ホルダ部材
１３          メイン基板
１４          オーディオ基板
１５          アンテナ基板
１６          電池ボックス
１７          カバー
１８          カバー
１９          アタッチメント部材
２０          アンテナコネクタ
２１          アンテナ
２２          アンテナカバー
２５          グリップエンド
２５ａ        螺子溝
２５ｂ        端子部
３０          アンテナ部
【図１】
0006366476.tif 000002
【図２】
0006366476.tif 000003
【図３】
0006366476.tif 000004
【図４】
0006366476.tif 000005
【図５】
0006366476.tif 000006
【図６】
0006366476.tif 000007